(57)【要約】【課題】  リモコンシステムの導入等などにより、操作機能の価値が低下している操作手段を有効に活用可能な開閉装置を提案する。【解決手段】  本発明の開閉装置は、開閉体の動作を指示する動作指示信号を出力する正規の操作手段と、外観上、開閉体の動作を指示する動作指示信号を出力することが可能なように見えさせているダミーの操作手段とを有する。さらに、ダミーの操作手段に対し、少なくとも所定種類の操作がなされたか否かを監視し、該当する操作がなされたときに、防犯動作を行う防犯手段を有する。【選択図】      図１
2005200957.tif 000002
【特許請求の範囲】
【請求項１】
開閉体の動作を指示する動作指示信号を出力する正規の操作手段と、
外観上、上記開閉体の動作を指示する動作指示信号を出力することが可能なように見えさせているダミーの操作手段と、
上記ダミーの操作手段に対し、少なくとも所定種類の操作がなされたか否かを監視し、該当する操作がなされたときに、防犯動作を行う防犯手段と
を有することを特徴とする開閉装置。
【請求項２】
上記正規の操作手段が、リモコン送信機を用いるものであり、
上記ダミーの操作手段が、正規であれば、上記開閉体の動作を制御する制御盤に対して有線接続されているように見えるものである
ことを特徴とする請求項１に記載の開閉装置。
【請求項３】
上記防犯手段が防犯動作を起動後、上記正規の操作手段に対して、所定種類の操作がなされたときに、上記防犯手段の防犯動作を強制終了させる防犯動作強制終了手段を有することを特徴とする請求項１又は２に記載の開閉装置。
【発明の詳細な説明】
【技術分野】
【０００１】
本発明は開閉装置に関し、例えば、シャッター、ドア、窓、オーバーヘッドドア、門扉、ゲート（駐車場などのゲート）、ロールスクリーン（例えば遮光膜）、ブラインド、オーニング装置などに適用し得る。
【背景技術】
【０００２】
例えば、シャッター等の開閉装置においては、その開閉を制御する制御部分に対し、有線で接続されているプッシュボタン装置（以下、ＰＢＳと呼ぶ）が、ユーザの操作に応じて、開閉制御信号を与えるようになされている。さらに、ＰＢＳに対する操作だけでなく、ユーザがリモコン送信機を操作し、その無線信号を受信したリモコン受信機が、開閉装置の開閉を制御する制御部分に対し、開閉制御信号を与えることができるようになされているものもある（特許文献１参照）。
【特許文献１】特開２００１−３０９４５３号公報
【発明の開示】
【発明が解決しようとする課題】
【０００３】
しかしながら、ＰＢＳによってもリモコン送信機によっても、開閉制御可能な開閉装置の場合、ユーザはリモコン送信機を用いて開閉を指示することがほとんどであり、ＰＢＳは存在していても、操作されることが稀であり、実際上、構成要素として無駄になっていると考えられる。
【０００４】
一般に、リモコンシステムはオプションとして設けられていることが多く、シャッター設置時点ではなく、後日に、リモコンシステムが導入されることもあり、このような場合にＰＢＳが無駄になることも多い。リモコンシステムの導入時に、ＰＢＳを取り去っても良いが、壁面等に設けられたＰＢＳを除外することは、除外作業が大変なだけでなく、ＰＢＳが除外された壁面等が汚く見えてしまうという不都合も生じてしまう。
【０００５】
また、ＰＢＳによってもリモコン送信機によっても、開閉制御可能な開閉装置の場合、不正を働こうとする第三者は、リモコン送信機の入手が容易でないため、ＰＢＳに対して不正を働くことが多くなる懸念がある。
【０００６】
そのため、開閉装置の制御手段に有線で操作信号を与える、リモコンシステムの導入等などにより、機能の価値が低下している操作手段を有効に活用することも可能な開閉装置があると都合が良い。
【課題を解決するための手段】
【０００７】
かかる課題を解決するため、本発明の開閉装置は、開閉体の動作を指示する動作指示信号を出力する正規の操作手段と、外観上、上記開閉体の動作を指示する動作指示信号を出力することが可能なように見えさせているダミーの操作手段と、上記ダミーの操作手段に対し、少なくとも所定種類の操作がなされたか否かを監視し、該当する操作がなされたときに、防犯動作を行う防犯手段とを有することを特徴とする。
【発明の効果】
【０００８】
本発明の開閉装置によれば、過去においては正規の操作手段として機能していたものもダミーの操作手段に適用可能であり、しかも、このダミーの操作手段を防犯に利用しているので、操作面から機能の価値が低下している操作手段を有効に活用することも可能なものとなっている。
【発明を実施するための最良の形態】
【０００９】
（Ａ）第１の実施形態
以下、本発明による開閉装置をシャッター装置に適用した第１の実施形態を図面を参照しながら詳述する。図１は、第１の実施形態のシャッター装置１の概略構成要素を示す説明図である。また、図２は、図１に示すシャッター装置１の詳細を示す概略回路図である。
【００１０】
図１において、シャッター２が設けられている近傍の壁面等にはＰＢＳ３が設けられている。ＰＢＳ３は、開閉機４に対して表面的には有線接続されている。また、開閉機４には、リモコン送信機５からの無線信号を受信処理するリモコン受信機６が接続されている。さらに、開閉機４には、音響発生装置７も接続されている。さらにまた、図１では省略しているが、開閉機４には、リミットスイッチ部８も接続されている。
【００１１】
この第１の実施形態の場合、開閉機４は、リモコン受信機６が得た開閉制御信号のみに従って、シャッター２の開、閉又は停止を実行するものであり、ＰＢＳ３は、開閉機４に対して動作を指示するものとはなっておらず、音響発生装置７の発生動作を起動するためのものとなっている。すなわち、ＰＢＳ３は、開閉機４の動作から見れば本当のＰＢＳにはなっておらず、ダミーのＰＢＳということができる。
【００１２】
開閉機４は、図２に示すように、モータ１０及びブレーキ１１を有する。図２に示すモータ１０は、正逆回転可能な３相交流モータである。モータ１０は、自己の回転軸がシャッター２の巻取り軸になっているか、又は、回転軸がシャッター２の巻取り軸に対し、例えばスプロケットやチェーンでなる回転伝達機構を介して連結されているものである。ブレーキ１１は、モータ１０の回転軸、又は、シャッター２の巻取り軸の不要な位置変化を抑止するものであり、通電時に制動力が働かなくなる形式のものである。
【００１３】
電源投入スイッチ１２がオンの場合には、交流電源（Ｒ、Ｔ）が、ヒューズ１３−１及び１３−２を介し、さらに、開閉機４内の後述する開動作用リレー１４や閉動作用リレー１５の常開リレー接点群１４−１〜１４−３、１５−１〜１５−３を介して、モータ１０やブレーキ１１に供給又は供給停止され、モータ１０の駆動制御やブレーキ１１の抑制制御が実行される。符号１６を付して示す回路素子（主として容量性素子）は、２相の交流電源から３相の交流電源を形成するためにある位相の交流電源を移相する移相素子である。常開リレー接点１４−１及び１４−２は、これらが閉成したときに、移相素子１６と相俟って、モータ１０が上昇方向（開方向）に回転するような３相交流をモータ１０に印加し、常開リレー接点１５−１及び１５−２は、これらが閉成したときに、移相素子１６と相俟って、モータ１０が下降方向（閉方向）に回転するような３相交流をモータ１０に印加するものである。リレー接点１４−３及び１５−３は、上昇であれ、下降であれ、ブレーキ１１の制動力を解放させるように、電源を供給させるものである。
【００１４】
図２においては、リモコン受信機６に関して、各種スイッチの接続構成のみを示している。リモコン受信機６は、リモコン送信機５からの無線信号を受信したときには、その受信信号が当該リモコン受信機６に送信し得るリモコン送信機５からのものであるかを確認した後、受信信号に含まれている開閉制御信号の具体的内容を認識する。そして、リモコン受信機６は、停止動作が指示されたときには内蔵する常閉の停止スイッチ２０を開放し、開動作が指示されたときには内蔵する常開の上昇スイッチ（開動作スイッチ）２１を閉成し、閉動作が指示されたときには内蔵する常開の下降スイッチ（閉動作スイッチ）２２を閉成する。停止スイッチ２０は、開閉機４との接続端子Ｐ１及びＰ３間に直列に介挿され、上昇スイッチ２１は、開閉機４との接続端子Ｐ３及びＰ２間に直列に介挿され、下降スイッチ２２は、開閉機４との接続端子Ｐ３及びＰ２間に直列に介挿されている。なお、端子Ｐ１は、ヒューズ１３−１を介した以降の一方の電源供給ラインＬ１に接続されている。他方の電源供給ラインＬ２には、後述する端子Ｐ５が接続されている。端子Ｐ１及びＰ５は、開閉機５の外部への電源の取り出し端子になっている。
【００１５】
リミットスイッチ部８は、シャッター２が上限位置に達したことを検出するための上限リミットスイッチ３０と、シャッター２が下限位置に達したことを検出するための下限リミットスイッチ３１とを有する。上限リミットスイッチ３０は、開閉機４との接続端子Ｐ６及びＰ５間に直列に介挿されているものであり、シャッター２が上限位置に達しているときには開放状態をとり、上限位置に達していないときには閉成状態にある。下限リミットスイッチ３１は、開閉機４との接続端子Ｐ７及びＰ５間に直列に介挿されており、シャッター２が下限位置に達しているときには開放状態をとり、下限位置に達していないときには閉成状態にある。
【００１６】
接続端子Ｐ２及びＰ６間には、上昇起動時に励磁されるリレー１４と、常閉リレー接点１５−５とが直列に接続されている。また、接続端子Ｐ４及びＰ７間には、下降起動時に励磁されるリレー１５と、常閉リレー接点１４−５とが直列に接続されている。リレー１４は、その接点として、４個の常開リレー接点１４−１〜１４−４と、１個の常閉リレー接点１４−５とを有し、常開リレー接点１４−４は、接続端子Ｐ３及びＰ２間に介挿され、他の接点１４−１〜１４−３、１４−５はそれぞれ上述した位置に設けられている。また、リレー１５は、その接点として、４個の常開リレー接点１５−１〜１５−４と、１個の常閉リレー接点１５−５とを有し、常開リレー接点１５−４は、接続端子Ｐ３及びＰ４間に介挿され、他の接点１５−１〜１５−３、１５−５はそれぞれ上述した位置に設けられている。
【００１７】
この実施形態は、以上のような一般的な構成に加え、ＰＢＳ３に関連して音響発生装置７を設けたこと、及び、ＰＢＳ３を、ダミーの操作装置として設けていることに特徴を有している。
【００１８】
この実施形態のＰＢＳ３も、常閉の停止スイッチ４０、常開の上昇スイッチ（開動作スイッチ）４１を閉成し、常開の下降スイッチ（閉動作スイッチ）４２を有する。しかし、リモコン受信機６と異なり、停止スイッチ４０及び下降スイッチ４２は、なんら電源供給には関与していない。上昇スイッチ４１の一端は、接続端子Ｐ３に接続され、上昇スイッチ４１の他端は、音響発生装置７の構成要素であるタイマ機能付リレー５０及びブザー５１を順次介して接続端子Ｐ３に接続されている。音響発生装置７は、タイマ機能付リレー５０及びブザー５１に加え、リレー５０の常開のリレー接点５０−１を構成要素としており、リレー接点５０−１の一端は、接続端子Ｐ３に接続され、他端は、リレー５０及びブザー５１間の接続点に接続されている。
【００１９】
次に、以上のような詳細構成を有する実施形態のシャッター装置１の動作を、正規のユーザの操作に応じた動作、不正な第三者の操作に応じた動作の順に説明する。
【００２０】
正規のユーザは、ＰＢＳ３がダミーであることを知っているため、シャッター２を操作する際には、リモコン送信機５を操作する。そのため、正規のユーザが操作する際には、ＰＢＳ３及び音響発生装置７が存在しないのと同様である。
【００２１】
まず、シャッター２が全閉で停止している状態で、正規のユーザが、リモコン送信機５に対し、上昇操作（開操作）した場合を説明する。なお、シャッター２が全閉で停止している状態では、リレー１４の常開リレー接点１４−１〜１４−４が開放、常閉リレー接点１４−５が閉成、リレー１５の常開リレー接点１５−１〜１５−４が開放、常閉リレー接点１５−５が閉成になっており、モータ１０やブレーキ１１への通電はなされていない。
【００２２】
正規のユーザがリモコン送信機５に対して上昇操作（開操作）すると、そのことを表す無線信号がリモコン受信機６で捕捉され、その結果、上昇スイッチ２１が所定時間（例えば０．５秒）オンされる。これにより、一方の電源ラインＬ１−停止スイッチ２０−上昇スイッチ２１−リレー接点１５−５−リレー１４−上限リミットスイッチ３０−他方の電源ラインＬ２という通電経路が形成され、リレー１４が励磁され、リレー１４の各リレー接点１４−１〜１４−５は接点状態を反転する。
【００２３】
リレー接点１４−４の閉成変化により、上昇スイッチ２１がオフに戻っても、リレー１４の励磁状態は継続する。また、リレー接点１４−５の開放変化により、上昇時動作中に、下降時動作が開始されることを確実に防止している。リレー接点１４−１〜１４−３の閉成変化により、モータ１０やブレーキ１１への通電がなされ、しかも、モータ１０へは上昇方向の回転を実行させるような通電がなされ、シャッター２の上昇が実行される。
【００２４】
シャッター２の上昇が進み、シャッター２が全開状態又はほぼ全開状態になると、上限リミットスイッチ３０が作動して開放し、通電経路が遮断される。このとき、リレー１４が消磁するので、リレー１４の各リレー接点１４−１〜１４−５は接点状態を常時状態に復帰させる。
【００２５】
リレー接点１４−４の開放変化により、リレー１４の励磁状態の自己保持機能が終了する。また、リレー接点１４−５の閉成変化により、将来の下降操作に対応できる状態になる。リレー接点１４−１〜１４−３の開放変化により、モータ１０やブレーキ１１への通電が遮断され、モータ１０の上昇回転が止まり、シャッター２が全開状態で停止する。
【００２６】
なお、上昇途中において、正規のユーザがリモコン送信機５に対して停止操作すると、そのことを表す無線信号がリモコン受信機６で捕捉され、その結果、停止スイッチ２０が所定時間（例えば０．５秒）だけオフされる。この停止スイッチ２０のオフにより、リレー１４が消磁するので、上述した上限リミットスイッチ３０が作動したと同様な動作により、シャッター２は停止する。
【００２７】
また、部分的なシャッター２の開放状態において、正規のユーザが、リモコン送信機５に対し、上昇操作（開操作）した場合も、上述した全閉状態で上昇操作（開操作）した場合とほぼ同様に動作するので、その説明は省略する。
【００２８】
次に、シャッター２が全開で停止している状態で、正規のユーザが、リモコン送信機５に対し、下降操作（閉操作）した場合を説明する。なお、シャッター２が全開で停止している状態でも、リレー１４の常開リレー接点１４−１〜１４−４が開放、常閉リレー接点１４−５が閉成、リレー１５の常開リレー接点１５−１〜１５−４が開放、常閉リレー接点１５−５が閉成になっており、モータ１０やブレーキ１１への通電はなされていない。
【００２９】
正規のユーザがリモコン送信機５に対して下降操作（閉操作）すると、そのことを表す無線信号がリモコン受信機６で捕捉され、その結果、下降スイッチ２２が所定時間（例えば０．５秒）だけオンされる。これにより、一方の電源ラインＬ１−停止スイッチ２０−下降スイッチ２２−リレー接点１４−５−リレー１５−下限リミットスイッチ３１−他方の電源ラインＬ２という通電経路が形成され、リレー１５が励磁され、リレー１５の各リレー接点１５−１〜１５−５は接点状態を反転する。
【００３０】
リレー接点１５−４の閉成変化により、下降スイッチ２２がオフに戻っても、リレー１５の励磁状態は継続する。また、リレー接点１５−５の開放変化により、下降時動作中に、上昇時動作が開始されることを防止している。リレー接点１５−１〜１５−３の閉成変化により、モータ１０やブレーキ１１への通電がなされ、しかも、モータ１０へは下降方向の回転を実行させるような通電がなされ、シャッター２の下降が実行される。
【００３１】
シャッター２の下降が進み、シャッター２が全閉状態又はほぼ全閉状態になると、下限リミットスイッチ３１が作動して開放し、通電経路が遮断される。このとき、リレー１５が消磁するので、リレー１５の各リレー接点１５−１〜１５−５は接点状態を常時状態に復帰させる。
【００３２】
リレー接点１５−４の開放変化により、リレー１５の励磁状態の自己保持機能が終了する。また、リレー接点１５−５の閉成変化により、将来の上昇操作に対応できる状態になる。リレー接点１５−１〜１５−３の開放変化により、モータ１０やブレーキ１１への通電が遮断され、モータ１０の下降回転が止まり、シャッター２が全閉状態で停止する。
【００３３】
なお、下降途中において、正規のユーザがリモコン送信機５に対して停止操作すると、そのことを表す無線信号がリモコン受信機６で捕捉され、その結果、停止スイッチ２０が所定時間（例えば０．５秒）だけオフされる。この停止スイッチ２０のオフにより、リレー１５が消磁するので、上述した下限リミットスイッチ３１が作動したと同様な動作により、シャッター２は停止する。
【００３４】
また、部分的なシャッター２の開放状態において、正規のユーザが、リモコン送信機５に対し、下降操作（閉操作）した場合も、上述した全開状態で下降操作（閉操作）した場合とほぼ同様に動作するので、その説明は省略する。
【００３５】
次に、ＰＢＳ３がダミー（偽）の操作装置であることを知らない者（不正者）が、ＰＢＳ３の上昇スイッチ４１を操作した場合の動作を説明する。なお、不正者が、ＰＢＳ３を操作する際にはシャッター２が全閉状態であるので、ほとんどの場合に、上昇スイッチ４１をオン操作する。また、以下では、上昇スイッチ４１が操作された際にブザーを鳴動させるが、停止スイッチ４０や下降スイッチ４２が操作された際にも、ブザーを鳴動させるようにしても良い。
【００３６】
上昇スイッチ４１がオン操作されると、一方の電源ラインＬ１−停止スイッチ２０−上昇スイッチ４１−リレー５０−ブザー５１−他方の電源ラインＬ２という通電経路が形成され、リレー５０が励磁され、リレー５０のリレー接点５０−１は閉成する。
【００３７】
上述した通電経路の形成により、ブザー５１は鳴動する。上昇スイッチ４１のオン操作が終了しても、リレー５０のタイマ機能（例えば１分；可変設定機能を有していても良い）によりリレー接点５０−１の閉成状態が継続するので、ブザー５１への通電が継続し、鳴動も継続する。リレー５０の励磁がその開始時点から所定時間（例えば１分）を経過すると、リレー５０がリレー接点５０−１を開放状態に変化させるので、ブザー５１への通電が終了し、鳴動が停止する。
【００３８】
なお、ブザー５１の鳴動状態において、正規のユーザがその鳴動を停止させたい場合には、リモコン送信機５に対して停止操作すれば良い。このとき、リモコン受信機６での停止スイッチ２０が開放動作するので、リレー５０への通電が停止し、リレー接点５０−１を開放状態に変化してブザー５１の鳴動が停止する。
【００３９】
上述のように、第１の実施形態によれば、シャッター動作に無関係なダミーのＰＢＳ３をシャッター２の近傍に設けたので、不正者がそのダミーのＰＢＳ３に不正行為を行っても、シャッター２が動作することはない。
【００４０】
その不正行為が、上昇スイッチ４１のオン操作や、上昇スイッチ４１のオンと同様な配線の接続である場合には、ブザー５１が鳴動し、不正者を威嚇等することができ、不正行為の再発を未然に防止することができる。
【００４１】
因みに、不正行為者が侵入を試みるとすれば、シャッターカーテンをこじ開けたり、操作部に対して不正操作又は不正な配線換えを行ったりすることが考えられるが、前者より後者の方が不正を働くのが容易なために、操作部に対する不正行為をまず実行すると思われる。しかしながら、操作部がダミーであって、ブザー鳴動のような防犯手段を有するので、一旦、不正を失敗すると、又は、仲間などからその防犯機能のことを聴くと、再度、不正を働いたり、同種のシャッターに不正を働いたりする気持ちにならないと考えられる。すなわち、上記第１の実施形態によれば、防犯性も向上している。
【００４２】
なお、正規のユーザは、リモコン送信機５に対して停止操作することにより、ブザー５１の鳴動を停止できるようにしたので、ブザー５１の鳴動が徒に長くなることを防止することができる。
【００４３】
また、ダミーのＰＢＳ３として、新たなＰＢＳを適用しても良いが、リモコンシステムをシャッター設置後に導入したために不要になったＰＢＳをダミーのＰＢＳ３として適用するようにしても良く、このようにした場合には、ＰＢＳの有効利用が図れている。
【００４４】
（Ｂ）第２の実施形態
次に、本発明による開閉装置をシャッター装置に適用した第２の実施形態を説明する。
【００４５】
第２の実施形態も、図示は省略するが、リモコン受信機の他に、ダミーのＰＢＳやブザーを備えているものである。第２の実施形態は、リモコン受信機の受信判定結果（開、閉、停止）やダミーのＰＢＳの出力信号が、プログラム処理するＣＰＵ（図示せず）に与えられ、ＣＰＵによるプログラム処理を中心として、ダミーのＰＢＳに対する不正操作時のブザー鳴動を実行しようとしたものである。
【００４６】
図３は、以上のようなＣＰＵが実行する処理プログラムを示すフローチャートである。ＣＰＵは、リモコン受信機又はダミーのＰＢＳからの動作指示信号を待ち受けており（Ｓ１００）、動作指示信号が与えられると、その内容を判別する（Ｓ１０１）。与えられた動作指示信号が、ダミーのＰＢＳから開動作の指示信号以外の場合の説明は省略する。
【００４７】
ダミーのＰＢＳから開動作の指示信号が与えられると、ＣＰＵは、ブザーの鳴動を開始させると共に（Ｓ１０２）、タイマを起動する（Ｓ１０３）。その後、リモコン受信機がリモコン送信機が送信した停止指示信号を捕捉したか否かと（Ｓ１０４）、タイマが所定時間（例えば１分；可変設定機能を有していても良い）を計時してタイムアップしたか否かと（Ｓ１０５）を繰り返し監視する。
【００４８】
リモコン受信機がリモコン送信機が送信した停止指示信号を捕捉したとき、又は、タイマが所定時間を計時したときに、ＣＰＵは、ブザーの鳴動を終了させる（Ｓ１０６）。
【００４９】
第２の実施形態によっても、ソフトウェア処理を中心にしているが、第１の実施形態と同様な効果を奏することができる。
【００５０】
（Ｃ）他の実施形態
上記各実施形態の説明においても、種々変形実施形態に言及したが、さらに、以下に例示するような変形実施形態を挙げることができる。
【００５１】
上記各実施形態においては、ダミーのＰＢＳが不正操作された際に、ブザーを鳴動させるものを示したが、他の防犯動作を行うようにしても良い。静止画又は動画撮像用のカメラでＰＢＳ方向を撮像したり、フラッシュライトを点灯したり、警察署その他の防犯施設に通報したりしても良く、ブザー音（警報音）発生も含め、複数種類の防犯動作を実行するようにしても良い。
【００５２】
また、上記各実施形態においては、ダミーのＰＢＳを利用した不正監視を常時行うものを示したが、不正監視期間を限定するようにしても良い。例えば、図２におけるブザー５１から端子Ｐ５までの配線上にオンオフスイッチを設けると（例えばシャッター収納部内の位置が好ましい）、このオンオフスイッチがオンのときだけ、ダミーのＰＢＳを利用した不正監視を行うことができる。また、上述のオンオフスイッチの位置に、太陽光による明るさに基づく、夜間／昼間切り分けセンサを設け、夜間時のみ、ダミーのＰＢＳを利用した不正監視を行うようにしても良い。さらに、夜間等の第１の所定期間ではダミーのＰＢＳとして機能し、昼間等の第２の所定期間ではには正規のＰＢＳとして機能するようにしても良い。このようなことは、例えば、第２の実施形態のように、ＣＰＵを中心としたソフトウェア処理による場合に実行し易い。
【００５３】
さらに、上記各実施形態においては、ダミーのＰＢＳが１個の場合を示したが、ダミーのＰＢＳが複数設けられていても良い。同様に、正規の操作装置が複数設けられていても良い。
【００５４】
さらにまた、上記各実施形態においては、ダミーの操作装置がＰＢＳであるものを示したが、リモコン送信機（リモコンシステム）など他の操作装置であっても良い。例えば、壁面の収容部に収容された状態でも用いられるリモコン送信機であっても良く、開動作や閉動作を指示するため天井等からぶら下がっている紐体等であっても良い。リモコン送信機がダミーとなる場合には、その送信機のＩＤを、ダミー送信機として登録して処理するようにすれば良い。また、ＰＢＳも、３点方式のものに限定されず、１点方式など他の方式のものであっても良い。
【００５５】
一方、正規の操作装置も、リモコン送信機（リモコンシステム）に限定されない。例えば、室内側のＰＢＳが正規の操作装置になっていても構わない。
【００５６】
本発明の適用装置は、シャッター（シャッター装置）に限定されず、ドア、窓、オーバーヘッドドア、門扉、ゲート（駐車場などのゲート）、ロールスクリーン（例えば遮光膜）、ブラインド、オーニング装置などであっても良い。
【図面の簡単な説明】
【００５７】
【図１】第１の実施形態の開閉装置の概略構成を示す説明図である。
【図２】第１の実施形態の開閉装置の給配電の詳細構成を示す回路図である。
【図３】第２の実施形態の開閉装置のＣＰＵの処理を示すフローチャートである。
【符号の説明】
【００５８】
１…開閉装置、２…シャッター、３…ＰＢＳ（プッシュボタン装置）、４…開閉機、５…リモコン送信機、６…リモコン受信機、７…音響発生装置、８…リミットスイッチ部。
【図１】
2005200957.tif 000003
【図２】
2005200957.tif 000004
【図３】
2005200957.tif 000005